(57)【要約】【課題】障子の開閉操作を容易に行うことができるハンドルを備える建具を提供すること。【解決手段】建具１は、枠体１０と、枠体１０内に開閉可能に取り付けられ框体３０及び面材２５を有する障子２０と、框体３０に取り付けられ、障子２０を開閉操作可能な操作部４３と、框体３０と枠体１０との間に配置され、障子２０の開位置を維持する開位置維持機構６０と、操作部４３を操作することにより開位置維持機構６０を解除可能な解除機構７０と、を備える。【選択図】図９
2020020120.tif 000002
【特許請求の範囲】
【請求項１】
枠体と、
前記枠体内に開閉可能に取り付けられ框体及び面材を有する障子と、
前記框体に取り付けられ、前記障子を開閉操作可能な操作部と、
前記框体と前記枠体との間に配置され、前記障子の開位置を維持する開位置維持機構と、
前記操作部を操作することにより前記開位置維持機構を解除可能な解除機構と、を備える建具。
【請求項２】
前記開位置維持機構は、前記框体と前記枠体とを接続して前記障子を開閉可能に支持するアームと、前記障子の開位置を維持するように前記アームの移動を規制する規制部と、を有し、
前記解除機構は、前記操作部の操作に連動して前記規制部を退避位置に退避させるスライド部材を有する請求項１に記載の建具。
【請求項３】
前記規制部は、付勢部材の付勢力により前記框体の側面から突出する突出位置と、前記框体の内部に押圧されることで前記付勢部材の付勢力に抗して退避される退避位置と、に移動可能に構成され、
前記開位置維持機構は、前記規制部の前記突出位置において前記アームの移動を規制して前記障子の開位置を維持し、
前記解除機構は、前記操作部の操作により前記スライド部材を移動させて前記スライド部材が前記規制部を前記退避位置に移動させることで前記アームの移動を許容して前記障子を閉位置に移動させる請求項２に記載の建具。
【請求項４】
前記規制部は、前記スライド部材の移動方向において進行方向に向かうに従って徐々に突出するように傾斜する傾斜面を有する請求項３に記載の建具。
【請求項５】
前記操作部は、前記框体の見付方向の内側の見込面に配置され、前記框体の内部に収容される収容位置と、前記框体の内部から外部に突出される突出位置と、に回動可能である請求項１〜４のいずれかに記載の建具。
【発明の詳細な説明】
【技術分野】
【０００１】
本発明は、ハンドルを備える建具に関する。
【背景技術】
【０００２】
従来、窓（障子）を開閉するためのハンドルを備えた建具が知られている（例えば、特許文献１参照）。特許文献１に記載の建具においては、ハンドルとして、グレモンハンドルが用いられている。特許文献１に記載のグレモンハンドルにおいては、窓の開位置を維持する開位置維持機構が設けられており、窓を開状態から閉状態にする場合に、スライド部材を移動することで開位置維持機構を解除した後に、グレモンハンドルを把持して窓を開位置から閉位置にする操作が必要である。
【先行技術文献】
【特許文献】
【０００３】
【特許文献１】特開２０１７−１７９８９４号公報
【発明の概要】
【発明が解決しようとする課題】
【０００４】
特許文献１に記載のグレモンハンドルにおいては、窓を開位置から閉位置に移動する場合に、少なくとも、スライド部材を移動することで開位置維持機構を解除する操作と、グレモンハンドルを把持して窓を開位置から閉位置にする操作と、の２つの操作が必要となる。そのため、窓（障子）の開閉操作を容易に行うことができるハンドルが望まれている。
【０００５】
本発明は、障子の開閉操作を容易に行うことができるハンドルを備える建具を提供することを目的とする。
【課題を解決するための手段】
【０００６】
本発明は、枠体（例えば、後述の枠体１０）と、前記枠体内に開閉可能に取り付けられ框体（例えば、後述の戸先側縦框３４）及び面材（例えば、後述のガラス２５）を有する障子（例えば、後述の障子２０）と、前記框体に取り付けられ、前記障子を開閉操作可能な操作部（例えば、後述のグレモンハンドル４３）と、前記框体と前記枠体との間に配置され、前記障子の開位置を維持する開位置維持機構（例えば、後述の開位置維持機構６０）と、前記操作部を操作することにより前記開位置維持機構を解除可能な解除機構（例えば、後述の解除機構７０）と、を備える建具（例えば、後述の建具１）に関する。
【０００７】
また、前記開位置維持機構は、前記框体と前記枠体とを接続して前記障子を開閉可能に支持するアーム（例えば、後述の小開口アーム６２）と、前記障子の開位置を維持するように前記アームの移動を規制する規制部（例えば、後述の規制部６３）と、を有し、前記解除機構は、前記操作部の操作に連動して前記規制部を退避位置に退避させるスライド部材（例えば、後述のスライド部材７１）を有することが好ましい。
【０００８】
また、前記規制部は、付勢部材の付勢力により前記框体の側面から突出する突出位置と、前記框体の内部に押圧されることで前記付勢部材の付勢力に抗して退避される退避位置と、に移動可能に構成され、前記開位置維持機構は、前記規制部の前記突出位置において前記アームの移動を規制して前記障子の開位置を維持し、前記解除機構は、前記操作部の操作により前記スライド部材を移動させて前記スライド部材が前記規制部を前記退避位置に移動させることで前記アームの移動を許容して前記障子を閉位置に移動させることが好ましい。
【０００９】
また、前記規制部は、前記スライド部材の移動方向において進行方向に向かうに従って徐々に突出するように傾斜する傾斜面（例えば、後述の傾斜面７１５ａ）を有することが好ましい。
【００１０】
また、前記操作部は、前記框体の見付方向の内側の見込面に配置され、前記框体の内部に収容される収容位置と、前記框体の内部から外部に突出される突出位置と、に回動可能であることが好ましい。
【発明の効果】
【００１１】
本発明によれば、障子の開閉操作を容易に行うことができるハンドルを備える建具を提供することができる。
【図面の簡単な説明】
【００１２】
【図１】本発明の一実施形態に係る建具を室内側から見た正面図である。
【図２】本発明の一実施形態に係る建具を室内側から見た様子を示す斜視図であって、グレモンハンドルを収容位置に配置した状態を示す図である。
【図３】図２に示す状態から、グレモンハンドルを突出位置に移動させた状態を示す斜視図である。
【図４】図２のＡ−Ａ線断面図であって、ハンドル構成部の横断面図である。
【図５】図２のＢ−Ｂ線断面図であって、ハンドル構成部の縦断面図である。
【図６】グレモンハンドルを持ち上げた状態を示す図である。
【図７】開位置維持機構による障子の開位置の維持状態を室内側から視た図である。
【図８】開位置維持機構による障子の開位置の維持状態を室外側から視た図である。
【図９】図８に示す状態から、グレモンハンドルを上方側に移動させた場合の解除機構の動作を示す図である。
【図１０】図９に示す状態から、グレモンハンドルを室内側に引き戻して障子を閉めた状態を示す図である。
【図１１】建具の変形形態を示す図であって、グレモンハンドルが戸先側縦框の内部に収容されたハンドル機構を隠す蓋の機能を併せ持つように構成された場合を示す図である。
【発明を実施するための形態】
【００１３】
以下、本発明の好ましい実施形態について、図面を参照しながら説明する。
図１は、本発明の一実施形態に係る建具１を室内側から見た正面図である。図２は、本発明の一実施形態に係る建具１を室内側から見た様子を示す斜視図であって、グレモンハンドル４３を収容位置に配置した状態を示す図である。図３は、図２に示す状態から、グレモンハンドル４３を突出位置に移動させた状態を示す斜視図である。図４は、図２のＡ−Ａ線断面図であって、ハンドル構成部４０の横断面図である。図５は、図２のＢ−Ｂ線断面図であって、ハンドル構成部４０の縦断面図である。図６は、グレモンハンドル４３を持ち上げた状態を示す図である。
【００１４】
なお、本明細書において、「見付方向」とは、建物に形成された開口部に納められた建具の枠体に収められる障子の面内方向を意味し、「見込方向」とは、室内外方向（即ち、奥行き方向）を意味する。
【００１５】
図１に示すように、建具１は、建物の開口部に固定される枠体１０と、枠体１０にヒンジ（図示せず）を介して開閉可能に取り付けられる外開きの障子２０と、グレモンハンドル４３（操作部）を有するハンドル構成部４０と、を備えるスイング式の開閉窓である。障子２０は、枠体１０内に開閉可能に取り付けられる。本実施形態においては、グレモンハンドル４３は、図２及び図３に示すように、障子２０の框体３０の戸先側縦框３４（後述）の見込面３４ａ（後述）に取り付けられる。本実施形態の建具１は、グレモンハンドル４３を収容位置（図２参照）と突出位置（図３参照）とに操作を行うことが可能である。突出位置に位置したグレモンハンドル４３を室外側に押し出す操作を行うことで、障子２０を室外側に開くことが可能である（図７参照）。
【００１６】
枠体１０は、図１に示すように、上枠１１、下枠１２、吊元側縦枠１３及び戸先側縦枠１４が矩形に枠組みされて構成される。枠体１０には、外開きの障子２０が開閉可能に取り付けられる。
【００１７】
戸先側縦枠１４は、図４に示すように、横断面において、中空状の縦枠本体１４１と、縦枠本体１４１の見付方向の外側の端部側の部分から室外側に延びる外側見込方向延在部１４２と、外側見込方向延在部１４２の見込方向の途中から見付方向の外側に突出する突出部１４３と、縦枠本体１４１の見付方向の内側の端部から室内側に延びる室内側見込方向延出部１４４と、を有する。
【００１８】
縦枠本体１４１の室外側の見付面１４１ａと外側見込方向延在部１４２の見付方向の内側の見込面１４２ａとで構成されるＬ字状部分の内側の戸先側縦框収容空間１４０には、障子２０の閉位置において、障子２０の戸先側が配置される。
【００１９】
縦枠本体１４１の室外側の見付面１４１ａには、嵌合部１４５が設けられる。嵌合部１４５には、クッション材１４５ａが取り付けられる。
【００２０】
障子２０は、枠体１０内に開閉可能に取り付けられる。障子２０は、図４に示すように、枠体１０の室外側に配置される。障子２０は、図１に示すように、ガラス２５（面材）と、ガラス２５を囲うように構成される框体３０と、を含んで構成される。ガラス２５は、框体３０の内側に配置される。ガラス２５は、例えば、複層ガラスなどにより構成される。框体３０は、図１に示すように、上框３１、下框３２、吊元側縦框３３及び戸先側縦框３４が矩形に枠組みされて構成される。障子２０は、吊元側縦框３３に沿って上下方向に延びる回動軸３３ａを中心に回動することで、開閉される。
【００２１】
戸先側縦框３４は、図４に示すように、障子２０の閉位置において、戸先側縦框収容空間１４０に収容される。戸先側縦框３４は、戸先側縦框３４の見込方向の室外側において見付方向の内側に配置されるガラス配置部３４１と、ガラス配置部３４１の見付方向の外側に配置される方形部分３４２と、方形部分３４２の見付方向の外側に配置される開放部分３４３と、ガラス配置部３４１の見込方向の室内側に配置される室内側ハンドル配置部３４４と、を有する。ガラス配置部３４１、方形部分３４２及び開放部分３４３は、ガラス２５の端部から、障子２０の見付方向の内側から外側にこの順で並んで配置される。また、ガラス配置部３４１及び室内側ハンドル配置部３４４は、見込方向において、室外側から室内側にこの順で並んで配置される。
【００２２】
ガラス配置部３４１は、戸先側縦框３４の室外側に配置され、ガラス配置部３４１には、ガラス２５の端部が収容される。
【００２３】
室内側ハンドル配置部３４４は、ガラス配置部３４１の室内側に配置される。室内側ハンドル配置部３４４は、見付方向の内側に向けて開放する枠状に形成される。室内側ハンドル配置部３４４の見付方向の内側の見込面３４４ｂには、後述するグレモンハンドル４３を有するハンドル構成部４０が取り付けられる。室内側ハンドル配置部３４４の見付方向の内側の見込面３４４ｂは、戸先側縦框３４の内側の見込面３４ａの一部を構成する。
【００２４】
障子２０は、グレモンハンドル４３を突出位置に位置させた状態で室外側に押し出す操作を行うことにより、框体３０の吊元側縦框３３に配置される回動軸３３ａ（図１参照）を中心に回動することで開閉される。
【００２５】
ハンドル構成部４０について説明する。ハンドル構成部４０は、図２〜図４に示すように、戸先側縦框３４の見込面３４ａに取り付けられる。本実施形態においては、戸先側縦框３４の見込面３４ａには、室外側のガラス配置部３４１においてガラス２５が取り付けられ、室内側の室内側ハンドル配置部３４４においてハンドル構成部４０が取り付けられる。
【００２６】
ハンドル構成部４０は、図５に示すように、ベースプレート４１と、ハンドルケース４２（収容部）と、グレモンハンドル４３（操作部）と、シリンダ錠４４と、プッシュボタン４５と、ボタンストッパ４６と、押し上げレバー部材４７と、解除レバー部材４８と、解除レバー部材４８を付勢する板バネ４９と、回動軸Ｊを構成する回動軸部材５０と、を有する。
【００２７】
ベースプレート４１は、板状に形成される。ベースプレート４１は、ハンドル構成部４０のベース部分を構成し、図４に示すように、戸先側縦框３４の室内側ハンドル配置部３４４の内部において見込方向に延びる内壁３４４ｃに取り付けられる。
【００２８】
ハンドルケース４２は、戸先側縦框３４の室内側ハンドル配置部３４４の内部に配置される。ハンドルケース４２には、グレモンハンドル４３を収容可能である。ハンドルケース４２は、ベースプレート４１を介して、戸先側縦框３４の室内側ハンドル配置部３４４の内部において見込方向に延びる内壁３４４ｃに取り付けられる。
【００２９】
ハンドルケース４２は、図５に示すように、上下方向に延びる箱状に形成され、障子２０の見付方向の内側に向けて開放するケース開口４２１が形成される。ケース開口４２１は、図４に示すように、ガラス２５よりも室内側に配置される戸先側縦框３４（框体３０）の内側の見込面３４ａに形成される框開口３４４ａ（開口）に配置される。
【００３０】
ハンドルケース４２は、図４に示すように、横断面において、戸先側縦框３４の見付方向の外側から内側に向かうに従ってガラス２５から室内側に向かう側に傾斜して延びて形成される。そのため、ハンドルケース４２は、見付方向の外側から内側に向かうに従ってガラス２５から離れるように、ガラス２５に対して傾斜して配置される。これにより、ハンドルケース４２に収容されたグレモンハンドル４３は、見付方向の外側から内側に向かうに従ってガラス２５から離れるように傾斜して、ハンドルケース４２の内部に収容される。
【００３１】
グレモンハンドル４３は、戸先側縦框３４の見付方向の内側の見込面３４ａに配置される。グレモンハンドル４３は、障子２０を押し出す操作と引き戻す操作を行うことで、障子２０を開閉操作可能である。グレモンハンドル４３は、図５に示すように、上下方向に延びる長尺状に形成される。グレモンハンドル４３は、ハンドルケース４２に収容される収容位置（図２、図４参照）と、ハンドルケース４２から突出する突出位置（図３、図６参照）と、に回動軸部材５０の回動軸Ｊを中心に回動可能である。回動軸Ｊは、図４に示すように、戸先側縦框３４の内部に配置され、ガラス２５から室内側に向かうに従って戸先側縦框３４の見付方向の内側から外側に向かう側に傾斜して延びて形成される。
【００３２】
グレモンハンドル４３の収容位置は、図４に示すように、戸先側縦框３４の内側の見込面３４ａ（戸先側縦框３４の室内側ハンドル配置部３４４の見付方向の内側の見込面３４４ｂ）に形成される框開口３４４ａにおいて、ハンドルケース４２のケース開口４２１を介して戸先側縦框３４の内部に収容される位置である。グレモンハンドル４３は、収容位置において、ハンドルケース４２の内部に収容されることで、戸先側縦框３４の内部に収容される。グレモンハンドル４３は、収容位置に位置する場合に、図５に示すように、ハンドルケース４２の内部に配置され、ハンドルケース４２の長手方向に沿って延びる。
【００３３】
グレモンハンドル４３の突出位置は、図６に示すように、戸先側縦框３４の内側の見込面３４ａに配置される框開口３４４ａにおいて、ハンドルケース４２のケース開口４２１を介して戸先側縦框３４の内部から外部に突出される位置である。グレモンハンドル４３は、突出位置において、ハンドルケース４２の内部から外部に突出することで、戸先側縦框３４の外部に突出される。
【００３４】
グレモンハンドル４３は、回動軸Ｊが傾斜するため、突出位置に位置する場合に、図６に示すように、グレモンハンドル４３の基端４３ａ側から先端４３ｂ側に向かうに従ってガラス２５から室内側に向かう側に傾斜して延びて配置される。本実施形態においては、グレモンハンドル４３が突出位置に位置する場合に、グレモンハンドル４３の先端４３ｂは、ガラス２５の室内側の表面２５ａから距離Ｌ離れて配置される。本実施形態においては、例えば、距離Ｌは、３〜７ｃｍ程度である。
【００３５】
シリンダ錠４４は、図５に示すように、ハンドルケース４２の下端部に収容される。シリンダ錠４４は、グレモンハンドル４３の収容位置において、ボタンストッパ４６がプッシュボタン４５を押せないように規制して、プッシュボタン４５を操作不能に施錠する錠である。シリンダ錠４４の鍵穴４４１に鍵を挿入して回転操作することで、ボタンストッパ４６をスライド移動させて解錠することができる。ボタンストッパ４６を下方側にスライド移動させた状態においては、ボタンストッパ４６がプッシュボタン４５から退避するため、プッシュボタン４５の押圧操作が可能となる。
【００３６】
プッシュボタン４５は、シリンダ錠４４の解錠状態において、押されることで、ハンドルケース４２の内部に配置される押し上げレバー部材４７の下端部を押すことが可能である。押し上げレバー部材４７は、グレモンハンドル４３の下端側において、グレモンハンドル４３とハンドルケース４２との間に配置される。
【００３７】
これにより、プッシュボタン４５を押すことにより、押し上げレバー部材４７の下端部が押圧されて、押し上げレバー部材４７を回動軸４７１を中心に回動させることで、グレモンハンドル４３を押し上げることができる。プッシュボタン４５は、ハンドルケース４２の内部側に押された後に、コイルバネ４５１の付勢力により、表面が、ハンドルケース４２の表面と同一平面上に位置する基準位置に復帰可能である。
【００３８】
解除レバー部材４８は、ハンドルケース４２の内部の上端部において、グレモンハンドル４３の上端部に接続される。解除レバー部材４８は、グレモンハンドル４３の上端の裏面から、斜め上方に延びる。解除レバー部材４８は、回動軸Ｊ１の回動方向において、板バネ４９により、解除レバー部材４８に接続されたグレモンハンドル４３の突出位置側に付勢されている。グレモンハンドル４３を操作して解除レバー部材４８を回動させることで、開位置維持機構６０（後述）が開位置を維持している状態から、開位置維持機構６０を解除可能である。解除レバー部材４８が開位置維持機構６０を解除する構成については後述する。
【００３９】
建具１は、上述の構成に加えて、開位置維持機構６０と、解除機構７０と、を更に備える。開位置維持機構６０及び解除機構７０について説明する。図７は、開位置維持機構６０による障子２０の開位置の維持状態を室内側から視た図である。図８は、開位置維持機構６０による障子２０の開位置の維持状態を室外側から視た図である。図９は、図８に示す状態から、グレモンハンドル４３を上方側に移動させた場合の解除機構７０の動作を示す図である。図１０は、図９に示す状態から、グレモンハンドル４３を室内側に引き戻して障子２０を閉めた状態を示す図である。
【００４０】
開位置維持機構６０について説明する。
開位置維持機構６０は、図７及び図８に示すように、枠体１０と障子２０の框体３０との間に配置され、障子２０の開位置を維持する。開位置維持機構６０は、戸先側縦枠１４に取り付けられる枠側金具６１と、枠側金具６１と障子２０の戸先側縦框３４とを接続する小開口アーム６２（アーム）と、規制部６３と、を有する。
【００４１】
小開口アーム６２は、框体３０と枠体１０とを接続して障子２０を開閉可能に支持する。小開口アーム６２は、第１アーム６２１と、第１アーム６２１よりも長い第２アーム６２２と、を有する。第１アーム６２１は、一端側が枠側金具６１に回動可能に接続され、他端側が第２アーム６２２に回動可能に接続される。第２アーム６２２は、一端側が第１アーム６２１の他端側に回動可能に接続され、他端側が戸先側縦框３４に回動可能に接続される。
【００４２】
規制部６３は、図８に示すように、障子２０の開位置を維持する場合に、戸先側縦框３４の室内側ハンドル配置部３４４の見付方向の外側の見込面３４４ｄにおいて、付勢部材（図示せず）の付勢力により見込面３４４ｄから突出して配置される。規制部６３は、突出ロック位置（突出位置）において、障子２の開位置を維持するように、小開口アーム６２の第２アーム６２２の上辺６２２ａの上方側への移動を規制して、小開口アーム６２の回動（移動）を規制する。これにより、開位置維持機構６０は、障子２０の開位置を維持する。
【００４３】
規制部６３は、付勢部材（図示せず）の付勢力により戸先側縦框３４の室内側ハンドル配置部３４４の見付方向の外側の見込面３４４ｄ（側面）から突出して障子２０の開位置をロックする突出ロック位置（突出位置）と、戸先側縦框３４の内部に押圧されることで付勢部材（図示せず）の付勢力に抗して退避して障子２０の開位置が解除される押圧退避位置（退避位置）と、に移動可能に構成される。
【００４４】
規制部６３が突出ロック位置に位置する場合に、規制部６３が第２アーム６２２の回動方向側において第２アーム６２２の回動を規制して、障子２０の開位置が維持される。規制部６３が押圧退避位置に位置する場合には、規制部６３は第２アーム６２２の回動を規制せずに許容する。そのため、規制部６３を押圧退避位置に位置させることで、障子２０を開位置から閉位置に移動させることが可能である。
【００４５】
規制部６３は、スライド部材７１の移動方向において進行方向である下方に向かうに従って徐々に突出するように傾斜する傾斜面６３１を有する。傾斜面６３１は、規制部６３の上端に設けられ、上方側から下方側に向かうに従って戸先側縦框３４の室内側ハンドル配置部３４４の見込方向の外側の見込面３４４ｄから徐々に突出するように傾斜する。
【００４６】
解除機構７０について説明する。
解除機構７０は、グレモンハンドル４３を操作することにより開位置維持機構６０を解除可能である。解除機構７０は、図８に示すように、戸先側縦框３４の側面に配置される。解除機構７０は、スライド部材７１を有する。
【００４７】
スライド部材７１は、上下方向に延びる板状に形成される。スライド部材７１は、戸先側縦框３４の室内側ハンドル配置部３４４の見付方向の外側の見込面３４４ｄに取り付けられる。スライド部材７１は、上下方向に移動可能に構成される。グレモンハンドル４３が操作されることで、解除レバー部材４８が移動されて、解除レバー部材４８が、ハンドル操作開口７１３（後述）の縁部においてスライド部材７１を下方に移動させる。
【００４８】
スライド部材７１は、上方側に形成される上側長孔７１１と、下方側に形成される下側長孔７１２と、ハンドル操作開口７１３と、規制部配置開口７１４と、押圧片７１５と、を有する。
【００４９】
上側長孔７１１には、戸先側縦框３４の室内側ハンドル配置部３４４の見付方向の外側の見込面３４４ｄから突出する突出ピン３４５が挿通して配置されている。下側長孔７１２には、戸先側縦框３４の見込面３４ｂから突出する突出ピン３４６が挿通して配置されている。
【００５０】
スライド部材７１は、上側長孔７１１及び下側長孔７１２の長さの範囲内で、突出ピン３４５，３４６が移動する範囲内において、上下方向に移動可能である。スライド部材７１は、付勢部材（図示せず）により、上方側に付勢されている。規制部６３が突出ロック位置に位置する場合には、図８に示すように、スライド部材７１が上方側に付勢され、上側長孔７１１の下端に突出ピン３４５が位置し、下側長孔７１２の下端に突出ピン３４６が位置する。また、規制部６３が押圧退避位置に位置する場合には、図９に示すように、スライド部材７１が下方側に移動して、上側長孔７１１の上端に突出ピン３４５が位置し、下側長孔７１２の上端に突出ピン３４６が位置する。
【００５１】
ハンドル操作開口７１３には、グレモンハンドル４３に接続された解除レバー部材４８が挿通される。グレモンハンドル４３が操作されることで、解除レバー部材４８が、ハンドル操作開口７１３の縁部において、スライド部材７１を下方に移動させるように構成されている。
【００５２】
規制部配置開口７１４には、規制部６３が挿通して配置される。規制部配置開口７１４の上縁には、押圧片７１５が設けられている。
【００５３】
押圧片７１５は、規制部配置開口７１４の上縁に設けられ、上方側から下方側に向かって徐々に突出するように傾斜する板材により構成される。押圧片７１５は、スライド部材７１が下方側に移動された場合に、規制部６３の傾斜面６３１に沿って移動される。これにより、スライド部材７１を下方に移動させた場合に、押圧片７１５は、規制部６３の傾斜面６３１を徐々に押圧することができる。よって、規制部６３を突出ロック位置から押圧退避位置に容易に移動させることができる。
【００５４】
次に、建具１の操作方法について説明する。
まず、障子２０を閉位置から開位置に移動させる場合には、シリンダ錠４４を解錠した状態で、プッシュボタン４５を押圧する。これにより、押し上げレバー部材４７の下端部がプッシュボタン４５に押されることで、押し上げレバー部材４７が回動して、グレモンハンドル４３が押し上げられる。
【００５５】
そして、グレモンハンドル４３を持ち上げることで、収容位置（図２、図４参照）から突出位置（図３、図６参照）に回動軸Ｊを中心に回動させて、グレモンハンドル４３を所定角度で保持させた突出位置に位置させる。回動軸Ｊは、図４に示すように、ガラス２５から室内側に向かうに従って戸先側縦框３４の見付方向の内側から外側に向かう側に傾斜して延びて形成される。
【００５６】
この状態で、グレモンハンドル４３を把持して、障子２０を室外側に押し出して、閉位置（図３参照）から開位置（図７及び図８参照）に移動させる。ここで、グレモンハンドル４３の突出位置においては、回動軸Ｊが傾斜するため、図６に示すように、グレモンハンドル４３が基端４３ａ側から先端４３ｂ側に向かうに従ってガラス２５から室内側に向かう側に傾斜して延びて配置される。よって、グレモンハンドル４３の先端４３ｂをガラス２５から離した状態で突出位置に位置させることができる。そのため、グレモンハンドル４３の先端４３ｂと障子２０のガラス２５の室内側の表面２５ａとの間には、指を入れることができる距離Ｌが確保される。これにより、グレモンハンドル４３の操作時に、指がガラス２５に当たることなく障子２０の開閉操作を行うことができる。
【００５７】
障子２０の開位置においては、図８に示すように、開位置維持機構６０の規制部６３により、小開口アーム６２の移動が規制される。これにより、障子２０が開位置で維持される。
【００５８】
解除機構７０により開位置維持機構６０を解除し障子２０を閉める場合には、図９に示すように、グレモンハンドル４３を開位置から更に上方側に回動させる。グレモンハンドル４３を上方側に回動（移動）させる操作をすることにより、グレモンハンドル４３に接続された解除レバー部材４８が、スライド部材７１のハンドル操作開口７１３の縁部を下方に移動させることで、スライド部材７１を下方に移動させる。
なお、本実施形態においては、グレモンハンドル４３を開位置から更に上方側に回動せることで、開位置維持機構６０を解除するように構成したが、これに限定されない。例えば、グレモンハンドル４３を室内側（障子２０を閉める方向）に回動させることで、開位置維持機構６０を解除するように構成してもよい。
【００５９】
これにより、スライド部材７１は、押圧片７１５が下方に移動して規制部６３を押圧することにより、規制部６３を押し下げて押圧退避位置に退避させる。この状態においては、小開口アーム６２の移動が許容されて小開口アーム６２が回動可能な状態となるため、グレモンハンドル４３を室内側に引き戻して障子２０を閉めることで、図１０に示すように、小開口アーム６２を折り畳んで、障子２０を開位置から閉位置に移動させることができる。このように、規制部６３の押圧退避位置においては、障子２０を閉位置に移動させることが可能である。よって、グレモンハンドル４３を操作するだけで、解除機構７０により解除する操作が可能である。従って、開位置維持機構６０により障子２０の開位置が維持された状態において、障子２０の解除する操作を容易に行うことができる。
【００６０】
このように、グレモンハンドル４３の操作により、スライド部材７１をスライド移動させて、スライド部材７１が規制部６３を押圧退避位置に移動させることで小開口アーム６２の移動を許容する。これにより、図９に示すように、グレモンハンドル４３の操作により、規制部６３を押圧退避位置に移動させることで、小開口アーム６２の移動を許容して、図１０に示すように、小開口アーム６２を折り畳むことができるため、障子２０を閉位置に移動させることができる。よって、グレモンハンドル４３を操作することで、障子２０の開閉操作と、開位置維持機構６０を解除する操作との両方の動作を行うことができる。従って、障子２０の開閉操作を容易に行うことができる。
【００６１】
以上説明した上記実施形態の構成によれば、以下のような効果を奏する。
本実施形態の建具１は、枠体１０と、枠体１０内に開閉可能に取り付けられ框体３０及び面材２５を有する障子２０と、框体３０に取り付けられ、障子２０を開閉操作可能なグレモンハンドル４３と、框体３０と枠体１０との間に配置され、障子２０の開位置を維持する開位置維持機構６０と、操作部４３を操作することにより開位置維持機構６０を解除可能な解除機構７０と、を備える。グレモンハンドル４３を操作することで、障子２０の開閉操作と、開位置維持機構６０を解除する操作との両方の動作を行うことができる。よって、障子２０の開閉操作を容易に行うことができる。
【００６２】
また、本実施形態においては、開位置維持機構６０は、框体３０と枠体１０とを接続して障子２０を開閉可能に支持する小開口アーム６２と、障子２０の開位置を維持するように小開口アーム６２の移動を規制する規制部６３と、を有し、解除機構７０は、グレモンハンドル４３の操作に連動して規制部６３を押圧退避位置に退避させるスライド部材７１を有する。これにより、簡易な構成で、グレモンハンドル４３を操作することで、障子２０の開閉操作と、開位置維持機構６０を解除する操作との両方の動作を行うことができる。
【００６３】
また、本実施形態においては、規制部６３は、スライド部材７１の移動方向において進行方向に向かうに従って徐々に突出するように傾斜する傾斜面７１５ａを有する。これにより、スライド部材７１を下方に移動させた場合に、押圧片７１５は、規制部６３の傾斜面６３１を徐々に押圧することができる。よって、規制部６３を突出ロック位置から押圧退避位置に容易に移動させることができる。
【００６４】
また、本実施形態においては、グレモンハンドル４３は、框体３０の戸先側縦框３４の見付方向の内側の見込面３４ａに配置され、戸先側縦框３４の内部に収容される収容位置と、戸先側縦框３４の内部から外部に突出される突出位置と、に回動可能である。そのため、グレモンハンドル４３を収容位置に配置できるため、凹凸が外部に露出されず、意匠性を向上できる。
【００６５】
以上、本発明の好ましい実施形態について説明したが、本発明は、上述の実施形態や変形例に制限されるものではなく、適宜変更が可能である。
【００６６】
例えば、前記実施形態では、グレモンハンドル４３を戸先側縦框３４の内部に収容されるように構成したが、次のような変形形態のように構成してもよい。図１１は、建具１Ａの変形形態を示す図であって、グレモンハンドル４３Ａが戸先側縦框３４の内部に収容されたハンドル機構を隠す蓋の機能を併せ持つように構成された場合を示す図である。
【００６７】
図１１に示すように、グレモンハンドル４３Ａの表面を蓋部材として構成してもよい。
具体的には、枠体１０Ａの戸先側縦枠１４Ａにおいて、見込方向に延びる室内側見込方向延出部１４４Ａを、戸先側縦框３４の見込面３４ａよりも見付方向の外側に位置させるように形成する。そして、グレモンハンドル４３Ａを、戸先側縦框３４の室内側ハンドル配置部３４４Ａの室内側の角部に配置する。これにより、グレモンハンドル４３Ａは、戸先側縦框３４の框開口３４４ａを塞ぐ蓋部材を構成することができる。よって、グレモンハンドル４３Ａの表面を、戸先側縦框３４の見込面３４ａを兼ねて構成することができる。変形形態の建具１Ａにおいても、前記実施形態と同様の効果を奏することができる。
【００６８】
また、前記実施形態では、スイング式の開閉窓を本発明の建具の一例として説明したが、この構成に限定されない。例えば、縦滑り出し窓、横滑り出し窓、引き違い窓等の構成を備える種々の建具に本発明を適用することができる。
【００６９】
また、前記実施形態においては、操作部を戸先側縦框３４に設けたが、これに限定されない。例えば、操作部を、上框や下框に設けてもよい。
【００７０】
また、前記実施形態においては、操作部をグレモンハンドル４３、４３Ａに適用した場合について説明したが、これに限定されず、例えば、操作部をカムクラッチハンドルに適用してもよい。
【００７１】
また、前記実施形態においては、シリンダ錠４４を備えることで、グレモンハンドル４３（操作部）を操作不能又は操作可能とする構成としたが、これに限定されない。シリンダ錠を備えていなくてもよく、例えば、手で操作するスイッチ構造などで構成してもよい。
【００７２】
また、前記実施形態においては、ボタンストッパ４６を退避させた状態で、プッシュボタン４５を押すことにより、グレモンハンドル４３を押し上げるように構成したが、これに限定されない。例えば、単にグレモンハンドル４３を手で持ち上げる仕様のものや、別の構造で実現してもよい。
【符号の説明】
【００７３】
１  建具
１０  枠体
２０  障子
２５  ガラス（面材）
３０  框体
３４  戸先側縦框（框体）
４３  グレモンハンドル（操作部）
６０  開位置維持機構
６２  小開口アーム（アーム）
６３  規制部
６３１  傾斜面
７０  解除機構
７１  スライド部材
【図１】
2020020120.tif 000003
【図２】
2020020120.tif 000004
【図３】
2020020120.tif 000005
【図４】
2020020120.tif 000006
【図５】
2020020120.tif 000007
【図６】
2020020120.tif 000008
【図７】
2020020120.tif 000009
【図８】
2020020120.tif 000010
【図９】
2020020120.tif 000011
【図１０】
2020020120.tif 000012
【図１１】
2020020120.tif 000013